(57)【特許請求の範囲】
【請求項１】
冷媒が循環する室外機と室内機と換気装置とで構成される冷媒系統を有し、
前記冷媒系統は、圧縮機、室外熱交換器、第１膨張弁、室内熱交換器、第２膨張弁、換気装置冷却器を有し、
前記室内機は、前記室内熱交換器、を有し、室内空気を温度調整しながら循環させるように構成され、
前記換気装置は、前記換気装置冷却器、を有し、室内空気と室外空気を入れ替えると共に、室内に導入される室外空気を前記換気装置冷却器で冷却除湿するように構成され、
前記室外機、前記室内機、前記換気装置は冷媒配管で接続されており、
室外空気の温湿度を検出する手段を有し、
室外空気温湿度に応じて前記室内熱交換器と前記換気装置冷却器との両方の最大蒸発温度設定値と最小蒸発温度設定値とをそれぞれ決定し、
前記室内熱交換器と前記換気装置冷却器の蒸発温度は、前記最大蒸発温度設定値以下であり、前記最小蒸発温度設定値以上の値となるように制御されることを特徴とする空気調和システム。
【請求項２】
前記室内熱交換器と前記換気装置冷却器の蒸発温度は、検出した室内温度から、設定された室内目標温度を減算した温度差ΔＴに基づいて制御されることを特徴とする請求項１に記載の空気調和システム。
【請求項３】
前記最大蒸発温度設定値と前記最小蒸発温度設定値は、それぞれ蒸発温度の高いＨｉレベル蒸発温度と、蒸発温度の低いＬｏレベル蒸発温度の２パターンの設定値を有し、前記Ｈｉレベル蒸発温度と、前記Ｌｏレベル蒸発温度は、前記室外空気温湿度に基づいて変更されることを特徴とする請求項１または２に記載の空気調和システム。
【請求項４】
前記最大蒸発温度設定値と前記最小蒸発温度設定値は、前記室内熱交換器と前記換気装置冷却器で異なる設定値とすることを特徴とする請求項１〜３のいずれか１項に記載の空気調和システム。
【請求項５】
前記室外空気温湿度は、空気線図上で所定の乾球温度の値Ｔ０と、所定の絶対湿度の値Ｘ０を閾値として４ゾーンに分割されることを特徴とする請求項１〜４のいずれか１項に記載の空気調和システム。
【請求項６】
前記４ゾーンのうちの少なくとも前記乾球温度の値Ｔ０以下で、かつ、前記絶対湿度の値Ｘ０以下のゾーンは、前記最大蒸発温度設定値と前記最小蒸発温度設定値を蒸発温度の高いＨｉレベル蒸発温度に設定することを特徴とする請求項５に記載の空気調和システム。
【請求項７】
前記４ゾーンのうちの少なくとも前記乾球温度の値Ｔ０以上で、かつ、前記絶対湿度の値Ｘ０以上のゾーンは、前記最大蒸発温度設定値と前記最小蒸発温度設定値を蒸発温度の低いＬｏレベル蒸発温度に設定することを特徴とする請求項５または６に記載の空気調和システム。
【請求項８】
前記乾球温度の値Ｔ０と、前記絶対湿度の値Ｘ０は、設定された室内目標温度に基づいて変更されることを特徴とする請求項５〜７のいずれか１項に記載の空気調和システム。
【請求項９】
前記乾球温度の値Ｔ０と、前記絶対湿度の値Ｘ０は、前記換気装置の風量に基づいて変更されることを特徴とする請求項５〜７のいずれか１項に記載の空気調和システム。
【請求項１０】
前記Ｈｉレベル蒸発温度に設定されている間に、前記温度差ΔＴが正の値である第１の規定値を超えた場合、または、検出した室内絶対湿度と設定された室内目標絶対湿度の絶対湿度差ΔＸが正の値である第２の規定値を超えた場合には、前記室内熱交換器の前記最大蒸発温度設定値と前記最小蒸発温度設定値が前記Ｌｏレベル蒸発温度に変更されることを特徴とする請求項２に従属する請求項３〜９のいずれか１項に記載の空気調和システム。
【請求項１１】
前記Ｌｏレベル蒸発温度に設定されている間に、前記温度差ΔＴが負の値である第３の規定値未満となり、かつ、検出した室内絶対湿度と設定された室内目標絶対湿度の絶対湿度差ΔＸが負の値である第４の規定値未満となった場合には、前記室内熱交換器の前記最大蒸発温度設定値と前記最小蒸発温度設定値が前記Ｈｉレベル蒸発温度に変更されることを特徴とする請求項２に従属する請求項３〜１０のいずれか１項に記載の空気調和システム。
【請求項１２】
前記室内熱交換器と前記換気装置冷却器は、単一の冷凍サイクルの冷媒回路の圧縮機に対して並列に接続されることを特徴とする請求項１〜１１のいずれか１項に記載の空気調和システム。
【発明の詳細な説明】
【技術分野】
【０００１】
本発明は、空気調和装置と換気装置を備えた空調調和システムに関するものである。
【背景技術】
【０００２】
従来、空気調和装置と換気装置を備える空調調和システムにおいては、換気装置が室内の空気を室外の新鮮空気と入れ替える運転を行っており、冷房時、外気から導入される空気のエンタルピーが高い場合は、冷房負荷（外気負荷）となる。また、その他の熱負荷としては、室内で発生する室内負荷、建物壁面等から侵入する躯体負荷がある。【０００３】
これらの熱負荷のうちの潜熱負荷を処理するため、空気調和装置の室内熱交換器の冷媒蒸発温度を低温で一定にして、潜熱負荷を処理していた。
しかしながら、蒸発温度を低温で一定として潜熱負荷を処理する運転では、運転効率が低下してしまうという問題があった。一方、蒸発温度を高めると運転効率は向上するが、潜熱処理量が不足して室内湿度が上昇し快適性が低下するという問題があった。【０００４】
そこで、外気処理を行う換気装置と空気調和装置をそれぞれ独立して制御し、空気調和装置の室内熱交換器の蒸発温度を室内空気の露点温度以上に制御して主に顕熱負荷を処理するとともに、外気処理を行う換気装置で必要除湿量を確保する蒸発温度を設定し、主に潜熱負荷を処理する潜顕分離空気調和システムがある（例えば特許文献１）。
【先行技術文献】
【特許文献】
【０００５】
【特許文献１】特開２０１０−０６５９７７号公報
【発明の概要】
【発明が解決しようとする課題】
【０００６】
しかしながら、上記のような従来の空気調和装置と換気装置を備える空気調和システムにおいては、空気調和装置と換気装置のそれぞれで冷凍サイクルを制御し、各蒸発器の蒸発温度を調整することで顕熱負荷と潜熱負荷の処理分担を行っているが、換気装置の蒸発温度は必要除湿量から求めて設定され、また、空気調和装置の室内熱交換器の蒸発温度は露点温度以上に設定される画一的な設定方法となっていた。
そのため、空気調和装置と換気装置のそれぞれの蒸発器に外気温湿度条件や室内温湿度条件などを考慮した適切な蒸発温度を設定することができないという問題点があった。【０００７】
本発明は、従来の問題点である蒸発器の適切な蒸発温度の設定方法を解決するためになされたものであって、室外空気負荷を考慮し、潜熱処理量不足（除湿不足）による快適性低下や過剰潜熱処理による省エネ性低下を回避し、快適性を維持（温度及び湿度の維持）しつつ、省エネ性を高めることを実現する空気調和システムを提供することを目的としている。
【課題を解決するための手段】
【０００８】
本発明に係る空気調和システムは、冷媒が循環する室外機と室内機と換気装置とで構成される冷媒系統を有し、前記冷媒系統は、圧縮機、室外熱交換器、第１膨張弁、室内熱交換器、第２膨張弁、換気装置冷却器を有し、前記室内機は、前記室内熱交換器、を有し、室内空気を温度調整しながら循環させるように構成され、前記換気装置は、前記換気装置冷却器、を有し、室内空気と室外空気を入れ替えると共に、室内に導入される室外空気を前記換気装置冷却器で冷却除湿するように構成され、前記室外機、前記室内機、前記換気装置は冷媒配管で接続されており、室外空気の温湿度を検出する手段を有し、室外空気温湿度に応じて前記室内熱交換器と前記換気装置冷却器との両方の最大蒸発温度設定値と最小蒸発温度設定値とをそれぞれ決定し、前記室内熱交換器と前記換気装置冷却器の蒸発温度は、前記最大蒸発温度設定値以下であり、前記最小蒸発温度設定値以上の値となるように制御されるものである。
【発明の効果】
【０００９】
本発明によれば、室内熱交換器と換気装置冷却器の蒸発温度設定値は、外気温湿度条件に基づいて変更される最大蒸発温度設定値と最小蒸発温度設定値の間の範囲で設定されるため、外気温湿度条件から顕熱負荷、潜熱負荷を想定し、蒸発温度設定値を所定の制御幅をもった設定することが可能となる。よって、負荷変動への追従が容易になる上、適切な蒸発温度で潜熱処理及び顕熱処理を実現し、快適性を維持したまま省エネ性を確保することができる。
【図面の簡単な説明】
【００１０】
【図１】本発明における空調システム概略図である。
【図２】本発明における冷房運転時の冷媒回路図である。
【図３】本発明における換気装置概略構成図である。
【図４】本発明における冷媒回路図である。
【図５】本発明における蒸発温度設定値Ｔｅを示した図である。
【図６】本発明における蒸発温度設定値Ｔｅの設定範囲を示した図である。
【図７】本発明におけるゾーン分けを示した空気線図である。
【図８】本発明の実施の形態１における蒸発温度レベルを示した空気線図である。
【図９】本発明における換気装置能力比率と閾値Ｔ０、Ｘ０の関係を示した図である。
【図１０】本発明に室内目標温度に対するおける閾値Ｔ０、Ｘ０の関係を示した空気線図である。
【図１１】本発明における蒸発温度レベルの変更を示した図である。
【図１２】本発明における蒸発温度レベルの変更を示した図である。
【図１３】本発明における制御フロー図である。
【図１４】本発明の実施の形態２における蒸発温度レベルを示した空気線図である。
【図１５】本発明おける蒸発温度設定値の上昇による省エネ効果を示した図である。
【発明を実施するための形態】
【００１１】
実施の形態１．
図１は、この本実施の形態１における空気調和システム概略図である。空気調和システム１００は、１台または複数の室内機１と１台または複数の換気装置３が室外機２と冷媒配管１０４で接続されている。また、室内機１、室外機２、換気装置３は集中コントローラ１０２と伝送線１０３で接続されている。集中コントローラ１０２には、図示はしないが目標温湿度設定手段４４が設けられている。
【００１２】
図２は、本実施の形態１における空気調和システムの冷媒回路図である。冷媒系回路は、圧縮機１１、四方弁１２、室外熱交換器１３、第１膨張弁１４ａ、室内熱交換器１５、第２膨張弁１４ｂ、換気装置冷却器１８から構成される。室内機１は、第１膨張弁１４ａ、室内熱交換器１５、室内熱交換器用送風機１７から構成され、１台あるいは複数台設置される。換気装置３は、第２膨張弁１４ｂ、換気装置冷却器１８から構成され、１台あるいは複数台設置される。
【００１３】
図３は、本実施の形態１における空気調和システムの換気装置３の概略構成図である。図３に示すように、換気装置冷却器１８、給気用送風機１９、排気用送風機２０、室内空気（ＲＡ）と室外空気（ＯＡ）の全熱交換を行う全熱交換器３０、室外空気（ＯＡ）の温度と湿度を検出するＯＡ温湿度検出手段３１、室内空気（ＲＡ）の温度と湿度を検出するＲＡ温湿度検出手段３２から構成される。全熱交換後の室外空気（ＯＡ）は、室内に供給空気（ＳＡ）として供給され、全熱交換後の室内空気（ＲＡ）は、室外に排出空気（ＥＡ）として排気される。
【００１４】
図４は、本実施の形態１における空気調和システムの冷媒回路図である。図４に示すように、圧縮機周波数調整手段４１、蒸発温度検出手段４２が設けられ、各室内機１に吸込温湿度検出手段４３が設けられている。
【００１５】
次に本実施の形態１における蒸発器の蒸発温度制御について説明する。図５は、本実施の形態１における室内熱交換器１５、もしくは換気装置３の換気装置冷却器１８の蒸発温度設定値Ｔｅを示した図である。縦軸に室内熱交換器１５、もしくは換気装置３の換気装置冷却器１８の蒸発温度設定値Ｔｅを表し、横軸に吸込温湿度検出手段４３で検出された室内温度Ｔａから目標温湿度設定手段４４で設定した室内目標温度Ｔａ＿ｔｇｔを減算した温度差であるΔＴを表している。Ｔｅ＿ｍａｘは、蒸発温度設定値Ｔｅの最大値である最大蒸発温度を表し、Ｔｅ＿ｍｉｎは、蒸発温度設定値Ｔｅの最小値である最小蒸発温度を表している。
【００１６】
室内熱交換器１５、もしくは換気装置冷却器１８の蒸発温度は、室内温度Ｔａから室内目標温度Ｔａ＿ｔｇｔを減算した温度差であるΔＴに応じて、最大蒸発温度Ｔｅ＿ｍａｘと最小蒸発温度Ｔｅ＿ｍｉｎの間で決定される蒸発温度設定値Ｔｅになるように、圧縮機周波数調整手段４１で圧縮機１１の運転周波数を変更し、膨張弁１４の開度を調整することで調節される。
【００１７】
図６は、本実施の形態１における室内機１系統と換気装置３系統の蒸発温度設定値Ｔｅの設定範囲を示している。図６に示すように、室内機１系統の室内熱交換器１５及び換気装置３系統の換気装置冷却器１８の上記最大蒸発温度Ｔｅ＿ｍａｘをＥＴ＿ｍａｘ、上記最小蒸発温度Ｔｅ＿ｍｉｎをＥＴ＿ｍｉｎとする。最大蒸発温度Ｔｅ＿ｍａｘ、最小蒸発温度Ｔｅ＿ｍｉｎは、室内熱交換器１５と換気装置冷却器１８でそれぞれ蒸発温度の高いＨｉレベルと蒸発温度の低いＬｏレベルの２パターンの値を備えている。
【００１８】
そして、室内熱交換器１５が蒸発温度の高いＨｉレベルのときの最大蒸発温度をＥＴｉ＿ｈｉ＿ｍａｘ、最小蒸発温度をＥＴｉ＿ｈｉ＿ｍｉｎ、蒸発温度の低いＬｏレベルのときの最大蒸発温度をＥＴｉ＿ｌｏ＿ｍａｘ、最小蒸発温度をＥＴｉ＿ｌｏ＿ｍｉｎとする。また、同様に換気装置冷却器１８が蒸発温度の高いＨｉレベルのときの最大蒸発温度をＥＴｖ＿ｈｉ＿ｍａｘ、最小蒸発温度をＥＴｖ＿ｈｉ＿ｍｉｎ、蒸発温度の低いＬｏレベルのときの最大蒸発温度をＥＴｖ＿ｌｏ＿ｍａｘ、最小蒸発温度をＥＴｖ＿ｌｏ＿ｍｉｎとする。
【００１９】
室内熱交換器１５と換気装置冷却器１８の最大蒸発温度ＥＴ＿ｍａｘと最小蒸発温度ＥＴ＿ｍｉｎの値は、Ｈｉレベル設定とＬｏレベル設定でそれぞれ共通の値としてもよいし、違う値としてもよい。
共通の値とは、例えばＥＴｉ＿ｈｉ＿ｍａｘ＝ＥＴｖ＿ｈｉ＿ｍａｘ＝１４℃、ＥＴｉ＿ｈｉ＿ｍｉｎ＝ＥＴｖ＿ｈｉ＿ｍｉｎ＝９℃、ＥＴｉ＿ｌｏ＿ｍａｘ＝ＥＴｖ＿ｌｏ＿ｍａｘ＝９℃、ＥＴｉ＿ｌｏ＿ｍｉｎ＝ＥＴｖ＿ｌｏ＿ｍｉｎ＝０℃となる。
【００２０】
違う値とは、例えばＥＴｉ＿ｈｉ＿ｍａｘ＝１４℃、ＥＴｖ＿ｈｉ＿ｍａｘ＝１２℃、ＥＴｉ＿ｈｉ＿ｍｉｎ＝９℃、ＥＴｖ＿ｈｉ＿ｍｉｎ＝７℃、ＥＴｉ＿ｌｏ＿ｍａｘ＝９℃、ＥＴｖ＿ｌｏ＿ｍａｘ＝７℃、ＥＴｉ＿ｌｏ＿ｍｉｎ＝２℃、ＥＴｖ＿ｌｏ＿ｍｉｎ＝０℃となる。
この場合、室内熱交換器１５と換気装置冷却器１８の最大蒸発温度ＥＴ＿ｍａｘと最小蒸発温度ＥＴ＿ｍｉｎの値をそれぞれ最適値に設定することで、顕熱負荷と潜熱負荷をより適切に処理することが可能となる。
【００２１】
蒸発温度のＨｉレベル、Ｌｏレベルの切替えは、室内機１系統が顕熱処理主体、換気装置３系統が顕熱処理＋潜熱処理となるように、外気温湿度条件によって決定される。外気温湿度は、換気装置３のＯＡ温湿度検出手段３１の検出値を使用する。
【００２２】
図７は、換気装置３に吸入される外気の条件を乾球温度Ｔ０、及び、絶対湿度Ｘ０を境界として、４つのゾーンに分けた空気線図である。
換気装置３のＯＡ温湿度検出手段３１の検出値が、ゾーンＩにある場合は、外気が低温／低湿度であるので、低顕熱／低潜熱負荷条件となっている。
ゾーンＩＩにある場合は、外気が低温／高湿度であるので、低顕熱／高潜熱負荷条件である。
ゾーンＩＩＩにある場合は、外気が高温／低湿度であるので、高顕熱／低潜熱負荷条件となる。
ゾーンＩＶにある場合は、外気が高温／高湿度であるので、高顕熱／高潜熱負荷条件となる。
【００２３】
低顕熱／低潜熱負荷条件（ゾーンＩ）では、低顕熱負荷であるので、顕熱主体の室内熱交換器１５の蒸発温度を上げても冷却不足は発生せず、また、低潜熱負荷であるので、潜熱処理を行なう換気装置冷却器１８の蒸発温度を上げても除湿不足は発生しない。
よって、図６における蒸発温度レベルはＨｉレベルとすることができ、室内機系統の蒸発温度設定値Ｔｅは、ＥＴ＿ｍａｘ＝ＥＴｉ＿ｈｉ＿ｍａｘからＥＴ＿ｍｉｎ＝ＥＴｉ＿ｈｉ＿ｍｉｎの間となり、室内温度Ｔａから室内目標温度Ｔａ＿ｔｇｔを減算した温度差であるΔＴに応じて、図５のように蒸発温度設定値Ｔｅが決定される。
【００２４】
また、換気装置冷却器１８の蒸発温度設定値Ｔｅは、ＥＴ＿ｍａｘ＝ＥＴｖ＿ｈｉ＿ｍａｘからＥＴ＿ｍｉｎ＝ＥＴｖ＿ｈｉ＿ｍｉｎの間となり、室内温度Ｔａと室内目標温度Ｔａ＿ｔｇｔの温度差であるΔＴに応じて、図５のように蒸発温度設定値Ｔｅが決定される。
【００２５】
低顕熱／高潜熱負荷条件（ゾーンＩＩ）では、低顕熱負荷であるので、顕熱主体の室内熱交換器１５の蒸発温度を上げても冷却不足とはならないが、高潜熱負荷であるので、潜熱処理を行なう換気装置冷却器１８の蒸発温度を上げた場合に除湿不足が発生する。つまり図６における蒸発温度レベルはＬｏレベルにする必要がある。
【００２６】
高顕熱／低潜熱負荷条件（ゾーンＩＩＩ）では、低潜熱負荷であるので、潜熱負荷を処理する換気装置冷却器１８の蒸発温度を上げても除湿不足とはならないが、高顕熱負荷であるので、顕熱主体の室内熱交換器１５の蒸発温度を上げると冷却不足が発生する。つまり図６における蒸発温度レベルはＬｏレベルにする必要がある。
【００２７】
高顕熱／高潜熱負荷条件（ゾーンＩＶ）では、高顕熱負荷であるので、室内熱交換器１５の蒸発温度を上げると冷却不足となり、高潜熱負荷であるので、潜熱負荷処理を行なう換気装置冷却器１８の蒸発温度を上げた場合に除湿不足が発生する。つまり図６における蒸発温度レベルはＬｏレベルにする必要がある。
【００２８】
以上から、ゾーンＩＩ〜ゾーンＩＶにおいては、室内機系統の室内熱交換器１５の蒸発温度設定値Ｔｅは、ＥＴ＿ｍａｘ＝ＥＴｉ＿ｌｏ＿ｍａｘ、ＥＴ＿ｍｉｎ＝ＥＴｉ＿ｌｏ＿ｍｉｎの間となり、室内温度Ｔａから室内目標温度Ｔａ＿ｔｇｔ（℃）を減算した温度差であるΔＴに応じて、図５のように蒸発温度設定値Ｔｅが決定される。
【００２９】
また、換気装置系統の換気装置冷却器１８の蒸発温度設定値Ｔｅは、ＥＴ＿ｍａｘ＝ＥＴｖ＿ｌｏ＿ｍａｘからＥＴ＿ｍｉｎ＝ＥＴｖ＿ｌｏ＿ｍｉｎの間となり、室内温度Ｔａから室内目標温度Ｔａ＿ｔｇｔを減算した温度差であるΔＴに応じて、図５のように蒸発温度設定値Ｔｅが決定される。
【００３０】
そして、ΔＴが０のときＴｅ＝ＥＴ＿ｍａｘ、ΔＴがＴ１のときＴｅ＝ＥＴ＿ｍｉｎとし、０≦ΔＴ≦Ｔ１の間は、ＥＴ＿ｍａｘとＥＴ＿ｍｉｎの間でΔＴと比例関係にあるとして蒸発温度設定値Ｔｅが決定される。
以上から、蒸発温度レベルＨｉとＬｏは、外気条件によって図８のようにゾーンＩ〜ＩＶに分けて決定される。
【００３１】
図７、図８の各ゾーンの閾値となる乾球温度Ｔ０と絶対湿度Ｘ０は、以下のようにして決定する。Ｔ０、Ｘ０は、運転蒸発温度をＨｉレベルの最小蒸発温度ＥＴ＿ｍｉｎとしたときに、顕熱負荷、潜熱負荷を処理することができる最大外気温度と最大外気絶対湿度とする。すなわち、外気温度がＴ０、外気絶対湿度がＸ０以下であれば、Ｈｉレベルの最小蒸発温度で、顕熱負荷、潜熱負荷を処理可能で目標室内温湿度に到達可能な外気条件の閾値とする。
【００３２】
なお、顕熱負荷、潜熱負荷は、外気条件だけでなく、人体、ＯＡ機器、照明などの負荷を考慮する必要があるが、人体、ＯＡ機器、照明などの負荷は、物件毎にある程度想定され、変動が少ないので、物件毎に想定される値を用いて、Ｔ０、Ｘ０を算出してもよい。
【００３３】
また、接続されている室内機１の室内熱交換器１５と、換気装置３の換気装置冷却器１８の能力比率に応じてＴ０、Ｘ０を決定することも可能である。図９に示すように、室内熱交換器１５よりも換気装置冷却器１８の能力比率が高いほうが、低い場合よりも、顕熱負荷、潜熱負荷を処理できる能力が高いため、Ｔ０、Ｘ０を高い値に設定することが可能となる。このように、室内熱交換器１５と換気装置冷却器１８の能力比率に応じて、Ｔ０、Ｘ０を決定するようにしても良い。
【００３４】
例えば、換気装置３の風量が上がった場合などに、Ｔ０、Ｘ０の値を高く設定することで、蒸発温度レベルをＨｉレベルとする蒸発温度領域が増え、省エネ効果が高くなる。反対に、換気装置３の風量が下がった場合などに、Ｔ０、Ｘ０の値を低く設定することで、冷却不足、除湿不足を回避することが可能となる。
【００３５】
また、各ゾーンの閾値となる乾球温度Ｔ０と絶対湿度Ｘ０は、目標温湿度設定手段４４の設定値によって、図１０に示すように変化させても良い。室内目標温湿度が変化すると、同じ外気条件であっても、顕熱負荷と潜熱負荷が変化するため、Ｔ０とＸ０は変わってくる。室内目標温度Ｔａ＿ｔｇｔが低くなると、顕熱負荷は大きくなるため、Ｔ０も低くなる。また、室内目標絶対湿度Ｘａ＿ｔｇｔが低くなると、潜熱負荷は大きくなるため、Ｘ０も低くなる。このようにすることで、室内目標温湿度が変化した場合でも、冷却不足や除湿不足の発生を回避することができる。
【００３６】
このとき、室内温湿度の検出値を用いて、蒸発温度レベルをＨｉレベルからＬｏレベルへ切り替える制御を行っても良い。例えば、室内系統がＨｉレベルで運転中、図１１に示すように吸込温湿度検出手段４３で検出された室内温度Ｔａから目標温湿度設定手段４４で設定した室内目標温度Ｔａ＿ｔｇｔを減算した差ΔＴがＴ２（Ｔ１＜Ｔ２）よりも大きい場合、または、図１２に示すように吸込温湿度検出手段４３で検出された室内絶対湿度Ｘａから目標温湿度設定手段４４で設定した室内目標絶対湿度Ｘａ＿ｔｇｔを減算した差ΔＸが予め決められた値Ｘ１（０＜Ｘ１）よりも大きい場合は、顕熱負荷、潜熱負荷のどちらかを処理できていないと判断し、蒸発温度レベルをＬｏレベルに移行する。このように検出した室内温湿度でフィードバック制御することで、冷却不足、除湿不足を回避することが可能となる。
【００３７】
反対に、蒸発温度レベルをＬｏレベルで運転中に、図１１に示すように室内温度Ｔａから室内目標温度Ｔａ＿ｔｇｔを減算した差ΔＴがＴ３（負の値）よりも小さくなる場合、かつ、図１２に示すように室内温度Ｔａから室内目標温度Ｔａ＿ｔｇｔを減算した差ΔＸが予め決められた値Ｘ２（０＞Ｘ２）よりも小さくなる場合は、顕熱負荷、潜熱負荷を過剰に処理していて、蒸発温度を高く設定することが可能と判断し、蒸発温度レベルをＬｏレベルからＨｉレベルに移行する。Ｌｏレベル運転中に圧縮機がサーモｏｆｆした場合にＨｉレベルに移行するものとしても良い。
【００３８】
また、室内温度Ｔａ、室内絶対湿度Ｘａを検出する際には、換気装置３に設けられたＲＡ温湿度検出手段３２の検出値を用いても良い。
【００３９】
図１３に上記室内温度Ｔａから室内目標温度Ｔａ＿ｔｇｔを減算した差ΔＴと、室内絶対湿度Ｘａから室内目標絶対湿度Ｘａ＿ｔｇｔを減算した差ΔＸを制御パラメータとした蒸発温度制御フロー図を示す。
運転スタート後、Ｓ−１で、ＯＡ温湿度検出手段３１で外気の温湿度を検出する。
Ｓ−２は、検出した外気温湿度に応じて、図７におけるゾーンＩ〜ゾーンＩＶの判定を行う。
Ｓ−３は、室内機１系統の室内熱交換器１５、換気装置３系統の換気装置冷却器１８の蒸発温度レベル（ＨｉレベルもしくはＬｏレベル）を図６に基づいて決定する。
【００４０】
Ｓ−４は、室内温度Ｔａから室内目標温度Ｔａ＿ｔｇｔを減算した差ΔＴの算出、室内絶対湿度Ｘａから室内目標絶対湿度Ｘａ＿ｔｇｔを減算した差ΔＸの算出を行う。
Ｓ−５は、図５に基づいて蒸発温度設定値Ｔｅを決定する。
Ｓ−６は、室内温度Ｔａから室内目標温度Ｔａ＿ｔｇｔを減算した差ΔＴが、図１１におけるＴ３以上Ｔ２以下、かつ、室内絶対湿度Ｘａから室内目標絶対湿度Ｘａ＿ｔｇｔを減算した差ΔＸが、図１２におけるＸ２以上、Ｘ１以下であるかどうかを判定し、条件を満たさない場合は、Ｓ−７に進む。Ｓ−６で、条件を満たす場合は、Ｓ−１３で運転終了かどうかの判定を行ない、終了しない場合は、Ｓ−１に戻り同様の処理を繰り返し、終了する場合はＳ−１４で終了する。
【００４１】
Ｓ−７は、ΔＴがＴ３より小さく、かつ、ΔＸがＸ２より小さいかどうか判定し、条件を満たさない場合は、Ｓ−８に進み、条件を満たす場合はＳ−９に進む。Ｓ−８に進んだ場合は、ΔＴがＴ２より大きいか、または、ΔＸがＸ１より大きいかを判定し、条件を満たさない場合は、Ｓ−１３に進み、前述した通り運転終了の判定を実施する。Ｓ−８で条件を満たした場合は、Ｓ−１０に進み、室内熱交換器１５の蒸発温度がＨｉレベルかどうか判定し、条件を満たす場合は、温度あるいは湿度が室内目標温湿度に到達しておらず、かつ蒸発温度がＨｉレベルにいると判断し、Ｓ−１２に進み、室内熱交換器１５の蒸発温度レベルをＬｏレベルに変更する。Ｓ−１０で条件を満たさない場合とＳ−１２に進んだ後は、Ｓ−１３に進み、前述した通り運転終了の判定を実施する。
【００４２】
一方、Ｓ−７からＳ−９に進んだ場合は、室内熱交換器１５の蒸発温度がＬｏレベルかどうか判定し、条件を満たす場合は、Ｓ−１１に進み室内熱交換器１５の蒸発温度レベルをＨｉレベルに変更する。Ｓ−９で条件を満たさない場合は、Ｓ−１３に進み、前述した通り運転終了の判定を実施する。
【００４３】
このように制御することで、外気温湿度から顕熱負荷、潜熱負荷を想定し、フィードフォワードで最適となる室内熱交換器１５及び換気装置冷却器１８の蒸発温度を決定した後、室内温湿度を用いたフィードバック制御で室内熱交換器１５の最適蒸発温度を修正するので、蒸発温度の最適値を見つけるまでの時間が短く、負荷変動にも追従可能となり、省エネ効果が高くなる。
【００４４】
実施の形態２．
上記実施の形態１では、空気線図を図７、８のように、外気条件を乾球温度Ｔ０、絶対湿度Ｘ０を境界として４つのゾーンに分け、同一ゾーンでは室内熱交換器１５と換気装置冷却器１８の蒸発温度レベルを共通のＨｉレベルもしくはＬｏレベルとしたが、本実施の形態では、図１４に示すように、室内熱交換器１５と換気装置冷却器１８の蒸発温度レベルをそれぞれ設定する。その他の構成要素や蒸発温度制御は、実施の形態１と同様である。
【００４５】
すなわち、低顕熱低潜熱負荷条件（ゾーンＩ）では、低顕熱負荷であるので、顕熱主体の室内熱交換器１５の蒸発温度を上げても冷却不足は発生せず、また、低潜熱負荷であるので、潜熱処理を行なう換気装置冷却器１８の蒸発温度を上げても除湿不足は発生しない。
よって、図６における蒸発温度レベルは、室内熱交換器１５と換気装置冷却器１８の双方共にＨｉレベルとすることができる。
【００４６】
低顕熱高潜熱負荷条件（ゾーンＩＩ）では、低顕熱負荷であるので、顕熱主体の室内熱交換器１５の蒸発温度を上げても冷却不足とはならないが、高潜熱負荷であるので、潜熱処理を行なう換気装置冷却器１８の蒸発温度を上げた場合に除湿不足が発生する。つまり、図６における蒸発温度レベルは室内熱交換器１５がＨｉレベル、換気装置冷却器１８はＬｏレベルにする必要がある。
【００４７】
高顕熱負荷低潜熱負荷条件（ゾーンＩＩＩ）では、低潜熱負荷であるので、潜熱負荷を処理する換気装置冷却器１８の蒸発温度を上げても除湿不足とはならないが、高顕熱負荷であるので、顕熱主体の室内熱交換器１５の蒸発温度を上げると冷却不足が発生する。つまり、図６における蒸発温度レベルは、室内熱交換器１５がＬｏレベルとする必要があり、換気装置冷却器１８はＨｉレベルとすることが可能である。
【００４８】
高顕熱高潜熱負荷条件（ゾーンＩＶ）では、高顕熱負荷であるので、室内熱交換器１５の蒸発温度を上げると冷却不足となり、高潜熱負荷であるので、潜熱負荷処理を行なう換気装置冷却器１８の蒸発温度を上げた場合に除湿不足が発生する。つまり、図６における蒸発温度レベルは、室内熱交換器１５と換気装置冷却器１８の双方をＬｏレベルにする必要がある。
【００４９】
このように、各ゾーンＩ〜ＩＶのそれぞれで、室内熱交換器１５と換気装置冷却器１８の蒸発温度レベルをＨｉレベルとＬｏレベルに個別設定することで、顕熱負荷と潜熱負荷をより適切に処理することが可能となる。
【００５０】
実施の形態１、２では、蒸発温度レベルをＨｉレベルとＬｏレベルでＥＴ＿ｍａｘとＥＴ＿ｍｉｎを決定したが、例えば、Ｈｉレベルは蒸発温度ＥＴ＝１４℃に固定、Ｌｏレベルは蒸発温度ＥＴ＝０℃に固定というように、固定値を設定しても良い。
【００５１】
実施の形態１、２の制御により、負荷に応じて最適な蒸発温度とすることが可能となる。つまり、顕熱負荷、潜熱負荷を確実に処理しながら、蒸発温度設定値Ｔｅを高くすることができ、図１５に示すように、圧縮機入力が低減され省エネとなる。また、顕熱負荷や潜熱負荷の過剰処理を抑制でるので、負荷が減り、省エネ効果が高くなる。
【００５２】
また、実施の形態１、２では、外気温湿度検出で負荷を判定しているため、低負荷と判定された場合は運転開始時も蒸発温度を高めで運転することが可能となり、運転開始の冷やし込み時（プルダウン時）の省エネ効果も得られる。蒸発温度レベルについては、図６のように、ＨｉレベルとＬｏレベルの２つに分けたが、３つ以上に分けても良い。
また、蒸発温度レベルがＨｉレベルの最大蒸発温度ＥＴ＿ｍａｘ設定でも室内機１がサーモｏｆｆするような場合は、蒸発器の目標ＳＨ（過熱度）を大きくして、能力を落とすことで発停ロスを回避するようにしても良い。
【符号の説明】
【００５３】
１  室内機、２  室外機、３  換気装置、１１  圧縮機、１２  四方弁、１３  室外熱交換器、１４ａ  第１膨張弁、１４ｂ  第２膨張弁、１５  室内熱交換器、１６  室外熱交換器用送風機、１７  室内熱交換器用送風機、１８  換気装置冷却器、１９  給気用送風機、２０  排気用送風機、３０  全熱熱交換器、３１  ＯＡ温湿度検出手段、３２  ＲＡ温湿度検出手段、４１  圧縮機周波数調整手段、４２  蒸発温度検出手段、４３  吸込温湿度検出手段、４４  目標温湿度設定手段、１００  空調システム、１０２  集中コントローラ、１０３  伝送線、１０４  冷媒配管。
【図１】
0005996107.tif 000002
【図２】
0005996107.tif 000003
【図３】
0005996107.tif 000004
【図４】
0005996107.tif 000005
【図５】
0005996107.tif 000006
【図６】
0005996107.tif 000007
【図７】
0005996107.tif 000008
【図８】
0005996107.tif 000009
【図９】
0005996107.tif 000010
【図１０】
0005996107.tif 000011
【図１１】
0005996107.tif 000012
【図１２】
0005996107.tif 000013
【図１３】
0005996107.tif 000014
【図１４】
0005996107.tif 000015
【図１５】
0005996107.tif 000016